(57)【要約】  【課題】意図しない乗客の手指による押圧により照明カバーと手摺り支持枠との間に隙間ができることを防ぐことのできる乗客コンベアの提供。  【解決手段】欄干３は、踏段移動方向に沿って立設されたパネル６を備え、欄干照明装置５は、移動手摺り４を支持する手摺り支持枠７に設けられた光源１１と、光源１１を覆う光透過性の照明カバー１２とを備え、照明カバー１２は、上端に設けられ手摺り支持枠７の端部８ａに差し込まれて係合される溝１３を備える係合部と、係合部の下端に設けられ外側表面の法線方向１４ａがパネル６から遠ざかる方向の斜め下方を向いた傾斜部１４とを備え、傾斜部１４の外側表面の法線方向１４ａは、水平方向とのなす角が３０度から６０度の間に設定されている。【選択図】  図１
2017088293.tif 000002
【特許請求の範囲】
【請求項１】
乗降床間を無端状に連結されて移動する複数の踏段と、前記踏段の両側に踏段移動方向に沿って立設された欄干と、前記欄干の周縁を移動する移動手摺りと、前記欄干の上部に設けられた欄干照明装置とを有する乗客コンベアにおいて、
前記欄干は、前記踏段移動方向に沿って立設されたパネルを備え、
前記欄干照明装置は、前記移動手摺りを支持する手摺り支持枠に設けられた光源と、前記光源を覆う光透過性の照明カバーとを備え、
前記照明カバーは、上端に設けられ前記手摺り支持枠の端部に差し込まれて係合される溝を備える係合部と、前記係合部の下端に設けられ外側表面の法線方向が前記パネルから遠ざかる方向の斜め下方を向いた傾斜部とを備え、前記傾斜部の前記外側表面の前記法線方向は、水平方向とのなす角が３０度から６０度の間に設定されていることを特徴とする乗客コンベア。
【発明の詳細な説明】
【技術分野】
【０００１】
本発明は、乗客コンベアに関する。
【背景技術】
【０００２】
乗客コンベアにあって、移動手摺りがその周縁を移動する欄干に欄干照明装置を設けたものとして、特開２００２−３１３７号公報（特許文献１）を挙げることができる。
【０００３】
図３は、従来の乗客コンベアの欄干照明装置を示す縦断面図である。
【０００４】
従来の欄干照明装置１００は、移動手摺り１０１を支持する手摺り支持枠１０２に取付けられる光源１０３と、この光源１０３を覆う光透過性の照明カバー１０４とを備えている。そして、照明カバー１０４は、略Ｕ字状の断面を有しており、実状では、一側の上端が手摺り支持枠１０２の水平端部１０２ａに係着されると共に、他側は欄干１０５のガラスパネル１０６に沿って配置されている。また、照明カバー１０４の装着は、その上端に力を加えて幅狭となる方向に撓ませ、この状態で手摺り支持枠１０２の水平端部１０２ａとガラスパネル１０６間を通し、次いで、撓みを解除し、照明カバー１０４の一側上端を水平端部１０２ａに載置させて行う。一方、照明カバー１０４を外す際は、前述と逆の手順で行う。
【先行技術文献】
【特許文献】
【０００５】
【特許文献１】特開２００２−３１３７号公報
【発明の概要】
【発明が解決しようとする課題】
【０００６】
しかしながら、従来の欄干照明装置１００では、照明カバー１０４は可撓性の樹脂で成形されるものであることから、乗客が何らかの拍子で、移動手摺り１０１の外側に手を伸ばし、照明カバー１０４に触れて力を加えると、比較的容易に照明カバー１０４が撓み、照明カバー１０４の上端と手摺り支持枠１０２の水平端部１０２ａとの間に隙間ができ、その隙間に指先を挟んで怪我をする虞があった。
【０００７】
本発明は、前述した従来技術における実状からなされたもので、その目的は、意図しない乗客の手指による押圧により照明カバーと手摺り支持枠との間に隙間ができることを防ぐことのできる乗客コンベアを提供することにある。
【課題を解決するための手段】
【０００８】
前記目的を達成するために、本発明は、乗降床間を無端状に連結されて移動する複数の踏段と、前記踏段の両側に踏段移動方向に沿って立設された欄干と、前記欄干の周縁を移動する移動手摺りと、前記欄干の上部に設けられた欄干照明装置とを有する乗客コンベアにおいて、前記欄干は、前記踏段移動方向に沿って立設されたパネルを備え、前記欄干照明装置は、前記移動手摺りを支持する手摺り支持枠に設けられた光源と、前記光源を覆う光透過性の照明カバーとを備え、前記照明カバーは、上端に設けられ前記手摺り支持枠の端部に差し込まれて係合される溝を備える係合部と、前記係合部の下端に設けられ外側表面の法線方向が前記パネルから遠ざかる方向の斜め下方を向いた傾斜部とを備え、前記傾斜部の前記外側表面の前記法線方向は、水平方向とのなす角が３０度から６０度の間に設定されていることを特徴とする。
【発明の効果】
【０００９】
本発明によれば、意図しない乗客の手指による押圧により照明カバーと手摺り支持枠との間に隙間ができることを防ぐことができる。なお、前述した以外の課題、構成および効果は、以下の実施形態の説明により明らかにされる。
【図面の簡単な説明】
【００１０】
【図１】本発明の実施例の乗客コンベアの欄干照明装置を示す縦断面図である。
【図２】本発明が適用される乗客コンベアの概略構成図である。
【図３】従来の乗客コンベアの欄干照明装置を示す縦断面図である。
【発明を実施するための形態】
【００１１】
本発明の実施例を、図面を参照しながら説明する。尚、各図および各実施例において、同一又は類似の構成要素には同じ符号を付し、説明を省略する。
【００１２】
図１は、本発明の実施例の乗客コンベアの欄干照明装置を示す縦断面図、図２は、本発明が適用される乗客コンベアの概略構成図である。
【００１３】
ここでは、乗客コンベア１の一例として、上下階に跨って設置されたエスカレーターを例にして説明するが、動く歩道に適用してもよい。
【００１４】
乗客コンベア１は、上下の乗降床２間を無端状に連結されて移動する図示しない複数の踏段と、踏段の両側に踏段移動方向に沿って立設された欄干３と、この欄干３の周縁を移動する移動手摺り４と、この移動手摺り４の近傍で欄干３の上部に設けられた欄干照明装置５とを有している。
【００１５】
欄干３は、踏段移動方向に沿って立設されたパネル６と、このパネル６の周縁に固定され移動手摺り４を支持する手摺り支持枠７とを有している。このパネル６は、例えばガラスやステンレスなどで構成されている。また、手摺り支持枠７は、パネル６に固定され固定部を内側に備え略逆Ｕ字状の断面を有する下側支持枠８と、この下側支持枠８に接合され移動手摺り４を手摺りガイド９を介して支持する略Ｕ字状の断面を有する上側支持枠１０とを有している。
【００１６】
欄干照明装置５は、例えば下側支持枠８に取付けられることで手摺り支持枠７に設けられた光源１１と、例えば略Ｕ字状の断面を有し、光源１１を覆う光透過性の照明カバー１２とを有している。そして、照明カバー１２は、その上端１２ａに、下側支持枠８の水平端部８ａに差し込まれて係合される溝１３を備える係合部と、この係合部の下端に設けられ外側表面の法線方向１４ａがパネル６から遠ざかる方向の斜め下方を向いた傾斜部１４とを備えている。尚、法線方向１４ａについて、「パネル６から遠ざかる方向の斜め下方」とは、図１の右下方向を意味しており、「パネル６に近づく方向の斜め下方」（図１の左下方向）とは異なることを意味している。そして、この傾斜部１４の外側表面の法線方向１４ａは、水平方向とのなす角θが３０度から６０度の間に設定されている。
【００１７】
また、本実施例にあっては、照明カバー１２の装着は、その上端に力を加えて幅狭となる方向に照明カバー１２を撓ませ、この状態で照明カバー１２の上端を下側支持枠８の水平端部８ａとパネル６間に位置させ、次いで、撓みを解除し、溝１３を水平端部８ａに差し込む。一方、照明カバー１２を外す際は、前述と逆の手順で行う。
【００１８】
本実施例によれば、乗客が何らかの拍子で、移動手摺り４の外側に手を伸ばし、照明カバー１２の上端近傍（水平端部８ａとの境界付近）に触れて力を加えても、傾斜部１４により、斜め下方に力が逃がされると共に、照明カバー１２の上端１２ａは、溝１３により下側支持枠８の水平端部８ａに差し込まれて係合されており、これによって、照明カバー１２が撓んで下側支持枠８から外れることを防ぐことができる。ここで、なす角θが３０度から６０度の間に設定されている理由は、なす角θが３０度より小さすぎると傾斜部１４が垂直に近くなり、なす角θが６０度より大きすぎると傾斜部１４が水平に近くなるので、乗客の手指からの力を斜め下方に十分に逃がすことができなくなってしまうからである。したがって、なす角θは３０度から６０度の間に設定される。以上により、意図しない乗客の手指による押圧により照明カバー１２と手摺り支持枠７との間に隙間ができることを防ぐことができる。
【００１９】
また、照明カバー１２は、着脱に工具等を要する構造ではないことから、安全性を確保しつつ、作業性が低下することを防ぐことができる。
【００２０】
以上、本発明の実施例を説明してきたが、これまでの実施例で説明した構成はあくまで一例であり、本発明は、技術思想を逸脱しない範囲内で適宜変更が可能である。
【符号の説明】
【００２１】
１  乗客コンベア
２  乗降床
３  欄干
４  移動手摺り
５  欄干照明装置
６  パネル
７  手摺り支持枠
８  下側支持枠
９  手摺りガイド
１０  上側支持枠
１１  光源
１２  照明カバー
１３  溝
１４  傾斜部
【図１】
2017088293.tif 000003
【図２】
2017088293.tif 000004
【図３】
2017088293.tif 000005